(57)【特許請求の範囲】
【請求項１】
展示住宅棟内の所定の階層の上下の梁が、この階層内に露出した状態で設けられ、これら上下の梁間には、梁の長手方向にそって滑動可能となされたスライド柱が設けられ、このスライド柱を梁にそって移動させることで、各階層の自由な位置に柱を設けることができるようになされた躯体構造を解説することができるようになされたことを特徴とする躯体構造解説装置。
【請求項２】
スライド柱の上梁のさらに上方に設けられた柱と、スライド柱の下梁のさらに下方に設けられた柱との少なくとも何れか一方が、スライド柱を設けた階層から見えるように、展示住宅棟内に吹き抜け部が形成され、
スライド柱をこれら柱と一直線上になる通し柱の位置からスライド移動させることができるようになされた請求項１記載の躯体構造解説装置。
【請求項３】
梁が間口方向および奥行方向に延設されたコーナー部を形成するとともに、この間口側および奥行側の双方の梁間に、スライド柱が設けられ、これらスライド柱は、コーナー部で合体できるようになされた請求項１記載の躯体構造解説装置。
【発明の詳細な説明】
【０００１】
【産業上の利用分野】
本発明は、躯体構造を解説するための装置に関するものである。
【０００２】
【従来の技術】
本願発明の出願人は、通し柱を設けることなく、各階層の異なった位置に柱が設けることができるようになされた住宅建物における新規の躯体構造を提案している（特許２９９２５８１号）。
【０００３】
この躯体構造を用いることで、住宅建物は、コーナー部分に柱を設ける必要が無くなる他、窓を自由な位置に設けることが可能となる。
【０００４】
従来より、このような躯体構造を用いることによる上記したような優位性は、住宅建物のカタログに紹介したり、展示住宅に訪れた購入予定者に、口頭で説明したりしていた。
【０００５】
【発明が解決しようとする課題】
しかし、この躯体構造を説明する場合、躯体は、外壁および内壁の中に隠れてしまっており、普段は目に着かないものであるため、誰にでも判るように容易に説明することができず、かつ、容易に理解してもらうことができない。したがって、各階層の異なった位置に柱が設けられていることも、容易に説明することができず、かつ、容易に理解してもらうこともできないこととなる。
【０００６】
また、カタログに紹介したり、口頭で説明したりする場合、説明に時間がかかって煩わしくなる。
【０００７】
さらに、カタログの紹介や口頭での説明の場合、躯体構造の良さを印象づけることができないといった不都合を生じることとなる。
【０００８】
本発明は、係る実情に鑑みてなされたものであって、躯体構造を容易に把握でき、その良さを印象づけることができる躯体構造解説装置を提供することを目的としている。
【０００９】
【課題を解決するための手段】
上記課題を解決するための本発明の躯体構造解説装置は、展示住宅棟内の所定の階層の上下の梁が、この階層内に露出した状態で設けられ、これら上下の梁間には、梁の長手方向にそって滑動可能となされたスライド柱が設けられ、このスライド柱を梁にそって移動させることで、各階層の自由な位置に柱を設けることができるようになされた躯体構造を解説することができるようになされたものである。
【００１０】
また、上記躯体構造解説装置において、スライド柱の上梁のさらに上方に設けられた柱と、スライド柱の下梁のさらに下方に設けられた柱との少なくとも何れか一方が、スライド柱を設けた階層から見えるように、展示住宅棟内に吹き抜け部が形成され、スライド柱をこれら柱と一直線上になる通し柱の位置からスライド移動させることができるようになされたものである。
【００１１】
この構成によると、梁上およびまたは梁下の柱とスライド柱とを一直線として通し柱とした従来の躯体構造の位置から、これら柱と異なった位置にスライド柱を移動させて各階層毎に異なった位置に柱を設けた新規の躯体構造の位置へと、スライド柱を移動させることで、この新規の躯体構造の特徴をより明確に解説することができる。
【００１２】
さらに、上記躯体構造解説装置において、梁が間口方向および奥行方向に延設されたコーナー部を形成するとともに、この間口側および奥行側の双方の梁間に、スライド柱が設けられ、これらスライド柱は、コーナー部で合体できるようになされたものである。
【００１３】
この構成によると、スライド柱をコーナー部で合体させてコーナー柱とした従来の躯体構造の位置から、これらコーナー部から間口側および奥行側の自由な位置へスライド柱を移動させてコーナー部の柱を無くした新規の躯体構造の位置へと、スライド柱を移動させることで、この新規の躯体構造の特徴をより明確に解説することができる。
【００１４】
【発明の実施の形態】
以下、本発明の実施の形態を図面を参照して説明する。
【００１５】
図１および図２は躯体構造解説装置１の全体構成の概略を示している。
【００１６】
すなわち、この躯体構造解説装置１は、展示住宅棟（図示省略）内の下梁２および上梁３が露出するようになされ、この下梁２および上梁３間に、スライド柱４が滑動可能に設けられて構成されている。
【００１７】
下梁２は、断面Ｈ型に形成された鋼材からなり、上フランジ２１の下に隠れるように、断面Ｔ字状の補強リブ２３が、ウェブ２２に溶接固定されている。また、下梁２の上フランジ２１の表面には、この躯体構造を利用した最小モジュール単位である２５０ｍｍの間隔毎に、長手方向に沿って凹設部２０が設けられている。
【００１８】
上梁３は、断面Ｈ型に形成された鋼材がそのまま使用される。
【００１９】
スライド柱４は、断面Ｈ型に形成された鋼材からなり、その下端部には、下梁２の上フランジ２１に被覆される断面コ字状の溝型となされた受部材４１が溶接固定されている。この受部材４１の溝部内には、補強リブ２３の水平部２３ａを上下から挟持する滑車４２と、補強リブ２３の垂直部２３ｂを水平方向から挟持する滑車４３とが設けられており、これら滑車４２、４３によって補強リブ２３を滑動可能に挟持することで、スライド柱４は、下梁２の長手方向にそってスライド移動可能となされている。
【００２０】
また、受部材４１には、下梁２の上フランジ２１の表面に付勢状態で突出するようになされた付勢部材４４が設けられている。この付勢部材４４は、その先端部が上フランジ２１の表面に設けられた凹設部２０に嵌まり込むようになされている。したがって、スライド柱４は、この下梁２に設けた凹設部２０の間隔に相当する２５０ｍｍすなわち、最小モジュールである２５０ｍｍ単位毎に、付勢部材４４の先端部が凹設部２０に嵌まり込んで、下梁２に対して軽く固定されることとなり、各モジュール単位の位置に位置決めし易くなされている。
【００２１】
スライド柱４の上端部には、上梁３の下フランジ３１に被覆される断面コ字状の溝型となされた受部材４５が溶接固定されている。この受部材４５は、上記したように下梁２上をスライド柱４が移動する際に、このスライド柱４が上梁３の下フランジ３１から離脱しないようになされている。
【００２２】
このようにして構成される躯体構造解説装置１は、例えば、図３に示すように、展示住宅棟（図示省略）内の吹き抜け１０の位置に設けられ、下梁２のさらに下方に設けられた柱５と、上梁３のさらに上方に設けられた柱５と、スライド柱４とを一直線上にした位置から、スライド柱４を移動させて使用される。
【００２３】
この場合、まず、柱５、５とスライド柱４とを一直線上の通し柱とした状態で従来の躯体構造を解説した後、これら柱５、５と異なった位置にスライド柱４を移動させて、各階層毎に異なった位置に柱を設けることができる新規の躯体構造の解説を行うことができる。
【００２４】
また、この躯体構造解説装置１の他の施工例としては、例えば、図４に示すように、展示住宅棟（図示省略）の出隅窓１１が設けられたコーナ部１２において、間口方向Ｗに沿った下梁２および上梁３と、奥行方向Ｄに沿った下梁２および上梁３との間で、それぞれスライド柱４を移動可能とし、コーナー部１２で合体できるようにしてもよい。
【００２５】
この場合、まず、スライド柱４をコーナー部１２で合体させた状態としてコーー部１２に柱が位置する従来の躯体構造を解説した後、これらスライド柱４、４をコーナー部１２からそれぞれ間口方向Ｗおよび奥行方向Ｄに移動させて、出隅窓１１の邪魔にならない自由な位置に柱を設けることができる新規の躯体構造の解説を行うことができる。
【００２６】
このように、この躯体構造解説装置１によると、スライド柱４を移動させることで、この新規の躯体構造の特徴をより明確に解説することができる。
【００２７】
また、スライド柱４を移動させることを見せながら、躯体構造の特徴を解説することで、その良さを印象付けることができる。
【００２８】
なお、本実施の形態では、スライド柱４は、下梁２上を滑動するように構成されているが、上梁３に吊り下げるようにしてこの上梁３上を滑動するようになされたものであってもよい。
【００２９】
【発明の効果】
以上述べたように、本発明によると、実際に目の前でスライド柱を動かしながら、各階層の異なった位置に柱を設けることができるようになされた躯体構造を解説することができるので、躯体構造の特徴を容易に説明することができ、容易に理解してもらうことできる。
【００３０】
また、この躯体構造の特徴を視認してもらうことにより、その良さを印象づけることができることとなる。
【図面の簡単な説明】
【図１】本発明に係る躯体構造解説装置の全体構成の概略を示す正面図である。
【図２】（ａ）は本発明に係る躯体構造解説装置におけるスライド柱の下端部の部分拡大図、（ｂ）は同図( ａ) のI-I 線断面図、( ｃ) は同図( ａ) のII-II 線断面図である。
【図３】本発明に係る躯体構造解説装置の使用状態を示す斜視図である。
【図４】 (ａ) および( ｂ) は、本発明に係る躯体構造解説装置の他の使用状態を示す平面概略図である。
【符号の説明】
１  躯体構造解説装置
１０  吹き抜け
１２  コーナー部
２  下梁
３  上梁
４  スライド柱
５  柱
Ｗ  間口方向
Ｄ  奥行方向
【図１】
0003836733.tif 000002
【図２】
0003836733.tif 000003
【図３】
0003836733.tif 000004
【図４】
0003836733.tif 000005